(57)【要約】【課題】アズルミン酸が良好に溶解したアズルミン酸混合液の製造方法を提供する。【解決手段】本発明のアズルミン酸混合液の製造方法は、アズルミン酸とアミノ基を有する溶媒とを混合する工程を有する。【選択図】なし【特許請求の範囲】
【請求項１】
アズルミン酸とアミノ基を有する溶媒とを混合する工程を有する、アズルミン酸混合液の製造方法。
【請求項２】
アズルミン酸とアミノ基を有する溶媒とを含有するアズルミン酸混合液。
【発明の詳細な説明】
【技術分野】
【０００１】
本発明は、アズルミン酸混合液及びその製造方法に関する。
【背景技術】
【０００２】
青酸を重合させるとアズルミン酸と呼ばれる青酸重合物が得られる。そのアズルミン酸は、従来、青酸からアミノ酸が生成する化学進化の研究論文等の一部に登場するが、近年はほとんど報告されていない。アズルミン酸は溶媒に不溶であるため（例えば、非特許文献１参照）、その構造について未だに明確にされておらず、その用途についても、ほとんど検討されていない。
【０００３】
本発明者らは、先に、アズルミン酸を炭化させることによって多くの窒素を含有した窒素含有炭素材料が得られることを見出し（特許文献１参照）、得られた窒素含有炭素材料がリチウムイオン二次電池の電極などとして優れた機能を有することを見出している（特許文献２参照）。
【先行技術文献】
【特許文献】
【０００４】
【特許文献１】国際公開第２００７／０４３３１１号パンフレット
【特許文献２】国際公開第２００８／１２３３８０号パンフレット
【非特許文献１】Ａｎｇｅｗ．Ｃｈｅｍ．７２巻、ｐ３７９−３８４（１９６０年）
【発明の概要】
【発明が解決しようとする課題】
【０００５】
ところで、一般に、重合物を溶媒に溶解させることができれば、その構造解析を行いやすくなり応用検討なども容易になる。具体的には、重合物の溶解液から製膜したり、あるいは、他の有機化合物や高分子と混合して反応させたりするることが可能になり、その用途が大きく広がる。
【０００６】
アズルミン酸は青酸というニトリル基を有するモノマーの重合物であるにもかかわらず、これまでは、アズルミン酸を良好に溶解する溶媒との組合せが見当たらなかったために、その構造解析が困難となっている。また、アズルミン酸が溶媒に不溶又は難溶であることは、実用的な観点から、その用途の広がりを阻害している要因となっている。
【０００７】
本発明は、かかる実情に鑑みてなされたものである。すなわち、本発明の目的は、アズルミン酸が良好に溶解したアズルミン酸混合液及びその製造方法を提供することにある。
【課題を解決するための手段】
【０００８】
本発明者らは、上記課題を解決するために鋭意研究を重ねた結果、アズルミン酸とアミノ基を有する溶媒とを混合することによって、驚くべきことに、アズルミン酸を良好に溶解した溶液が得られることを見出し、本発明を完成するに至った。
【０００９】
すなわち、本発明は、下記のとおりである。
（１）アズルミン酸とアミノ基を有する溶媒とを混合する工程を有する、アズルミン酸混合液の製造方法。
（２）アズルミン酸とアミノ基を有する溶媒とを含有するアズルミン酸混合液。
【発明の効果】
【００１０】
本発明によれば、アズルミン酸が良好に溶解したアズルミン酸混合液及びその製造方法を提供することができる。
【発明を実施するための形態】
【００１１】
以下、本発明を実施するための形態（以下、単に「本実施形態」という。）について詳細に説明する。本実施形態は、本発明を説明するための例示であり、本発明はその実施の形態のみに限定されるものではない。すなわち、本発明は、その要旨を逸脱しない範囲で様々な変形が可能である。
【００１２】
本実施形態のアズルミン酸混合液の製造方法は、アズルミン酸とアミノ基を有する溶媒とを混合する工程を有するものであり、その工程に先立って、アズルミン酸を製造する工程を有していてもよい。
【００１３】
アズルミン酸とは、主として青酸（シアン化水素）を重合して得られる重合物の総称である。青酸は、公知の方法で製造されたものを用いることができ、その製造方法は特に限定されない。例えば、青酸は、プロピレン、イソブチレン、ｔｅｒｔ−ブチルアルコール、プロパン又はイソブタン等をアンモニア及び酸素含有ガスと触媒存在下で反応させる気相接触反応によってアクリロニトリルやメタクリロニトリルを製造する方法において副生する。この方法によれば、青酸を非常に安価に得ることが可能である。なお、この種の気相接触反応は従来公知の反応であるため、その反応条件も公知のものであればよい。また、青酸を増産するために、例えば、アンモ酸化反応によって青酸を生成するような原料（例えば、メタノール等）を、反応器に供給してもよい。
【００１４】
また、青酸は、天然ガスの主成分であるメタンをアンモニア及び酸素含有ガスと触媒存在下で反応させるアンドリュッソー法によっても生成される。この方法も、青酸を非常に安価に得ることが可能である。
【００１５】
もちろん、青酸は、青化ソーダ等を用いる実験室的な製造方法によっても生成され、このようにして得られたものも用いることができる。ただし、青酸を多量且つ安価に製造できる観点から、上記の工業的に製造されたものを用いることが好ましい。
【００１６】
アズルミン酸を製造する工程では、上述のようにして得られる青酸を含む原料を重合して、黒色から黒褐色の重合物であるアズルミン酸を得る。ここで、高純度のアズルミン酸を得る観点から、上記原料において、青酸以外の重合性物質の含有量が、原料の全体量に対して４０質量％以下であることが好ましく、より好ましくは１０質量％以下、さらに好ましくは５質量％以下、特に好ましくは１質量％以下である。言い換えると、上記原料中の青酸の含有量は、原料の全体量に対して６０質量％以上であることが好ましく、より好ましくは９０質量％以上、さらに好ましくは９５質量％以上、特に好ましくは９９質量％以上である。
【００１７】
アズルミン酸は、青酸及び場合によっては少量のそれ以外の重合性物質を種々の方法で重合させることにより製造することができる。その重合方法としては、例えば、液化青酸又は青酸水溶液を加熱する方法、それらを長時間放置する方法、それらに塩基を添加する方法、それらに光を照射する方法、それらに高エネルギーの放射をする方法、それらの存在下で種々の放電を行う方法、シアン化カリウム水溶液を電気分解する方法が挙げられる。
【００１８】
液化青酸又は青酸水溶液に塩基を添加してその塩基の存在下に青酸を重合させる方法において、上記塩基としては、例えば、水酸化ナトリウム、水酸化カリウム、シアン化ナトリウム、シアン化カリウム、有機塩基、アンモニア、アンモニア水を例示することができる。有機塩基としては、例えば、一級アミン（Ｒ1ＮＨ2）、二級アミン（Ｒ1Ｒ2ＮＨ）、三級アミン（Ｒ1Ｒ2Ｒ3Ｎ）、四級アンモニウム塩（Ｒ1Ｒ2Ｒ3Ｒ4Ｎ+）が挙げられる。ここで、Ｒ1、Ｒ2、Ｒ3及びＲ4は、互いに同一又は異なってもよい炭素数１〜１０のアルキル基、フェニル基、シクロヘキシル基、又はこれらが結合して得られる基を示し、これらはさらに置換基を有していてもよい。これら有機塩基の中でも、脂肪族又は環式脂肪族の第三級アミンが好ましい。そのような第三級アミンとしては、例えば、トリメチルアミン、トリエチルアミン、トリプロピルアミン、トリブチルアミン、ジシクロヘキシルメチルアミン、テトラメチルアンモニウムヒドロキサイド、Ｎ−メチルピロリジン、１，８−ジアザビシクロ［５．４．０］ウンデク−７−エン（ＤＢＵ）が挙げられる。上記例示した塩基は、１種を単独で又は２種以上を組み合わせて用いられる。
【００１９】
また、アズルミン酸は、プロピレン等のアンモ酸化工程で副生する青酸の精製工程から回収することによっても得ることができる。
【００２０】
本実施形態で用いるアズルミン酸の組成は、ＣＨＮ分析計を用いて測定することができる。アズルミン酸中の炭素原子のモル数に対する窒素原子のモル数の比（（窒素原子のモル数）／（炭素原子のモル数））は、０．２〜１．０であることが好ましく、より好ましくは０．３〜０．９、さらに好ましくは０．４〜０．９である。
【００２１】
本実施形態で用いるアズルミン酸は、波数１０００〜２０００ｃｍ-1のレーザーラマン分光分析によるスペクトル図において、ラマンシフトが１３００〜１４００ｃｍ-1、１５００〜１６００ｃｍ-1のいずれの位置にもピークを示すことが好ましく、１３６０〜１３８０ｃｍ-1、１５３０〜１５５０ｃｍ-1のいずれの位置にもピークを示すことが特に好ましい。
【００２２】
本実施形態で用いるアズルミン酸は、ＣｕＫα線をＸ線源として得られるＸ線回折図の１０〜５０°の範囲において、回折角（２θ）が２６．８±１°の位置に強いピークを示すものである。このピークは、好ましくは２６．８±０．５°の位置に、より好ましくは２６．８±０．２°の位置に示される。また、前述のピークに加えて、本実施形態で用いるアズルミン酸は、ＣｕＫα線をＸ線源として得られるＸ線回折図の１０〜５０°の範囲において、回折角（２θ）が１２．３±１°の位置に、好ましくは１２．３±０．５°の位置にピークを示してもよい。
【００２３】
本実施形態で用いるアズルミン酸は、Ｎ１ｓのＸＰＳスペクトル図において、３９９．０±０．７ｅＶに、好ましくは３９９．０±０．４ｅＶに、特に好ましくは３９９．０±０．２ｅＶに主ピークを有することが好ましい。
【００２４】
なお、アズルミン酸は、その製造方法、組成、製造ロットが異なるもの１種を単独で又は２種以上を組み合わせて用いられる。
【００２５】
次に、混合する工程において、アズルミン酸とアミノ基を有する溶媒とを混合してアズルミン酸混合液を得る。
【００２６】
ここで「アミノ基」は、−ＮＨ2で表される１価の基を意味する。アミノ基を有する溶媒として、例えば、第一級アミンを例示することができる。具体的には、アミノ基を有する溶媒として、アンモニア、メチルアミン、エチルアミン、プロピルアミン、イソプロピルアミン、ブチルアミン、アミルアミン、ヘキシルアミン、ヘプチルアミン、オクチルアミン、ノニルアミン、デシルアミン、ウンデシルアミン、ドデシルアミン、トリデシルアミン、テトラデシルアミン、ペンタデシルアミン、セチルアミン、シクロプロピルアミン、シクロプロピルアミン、シクロブチルアミン、シクロペンチルアミン、シクロヘキシルアミン、アニリン、トルイジン、ベンジルアミン、ナフチルアミン、アリルアミン等のモノアミン、エチレンジアミン、トリメチレンジアミン、テトラメチレンジアミン、ペンタメチレンジアミン、ヘキサメチレンジアミン、１，７−ジアミノヘプタン、１，８−ジアミノオクタン、１，９−ジアミノノナン、１，１０−ジアミノデカン、フェニレンジアミン、ジエチレントリアミン、トリエチレンテトラミン、テトラエチレンペンタミン、ペンタエチレンエキサミン等のジアミン、１，２，３−トリアミノプロパン、トリアミノベンゼン、トリアミノフェノール、メラミン等のトリアミンを例示できる。
【００２７】
これらの中で、好ましくはアンモニア、ジアミン、トリアミンであり、より具体的には、エチレンジアミン、トリメチレンジアミン、テトラメチレンジアミン、１，２，３−トリアミノプロパンが好ましく、エチレンジアミンがより好ましい。ただし、アミノ基を有する溶媒はこれらに限定されない。
【００２８】
アミノ基を有する溶媒は、１種を単独で又は２種以上を混合して用いられる。
【００２９】
なお、本実施形態のアズルミン酸混合液には、アミノ基を有しない他の溶媒が含まれてもよく、アミノ基を有する溶媒との混合溶媒を形成してもよい。
【００３０】
一般に、溶解し難い重合物の溶解を試みる場合、その重合物をクロロホルムのような極性の大きい溶媒と混合する。本発明者も、アズルミン酸を極性の大きい溶媒に溶解させることを試みた。ところが、アズルミン酸は、溶媒の極性を大きくしても溶解性の改善は得られない一方、アミノ基を有する溶媒に良好に溶解することが明らかになった。アズルミン酸がアミノ基を有する溶媒に良好に溶解する理由は定かではないが、アズルミン酸の特定位置へのアミノ基の配位が関係していると本発明者は想定している。そのため、アミノ基を１つ有する溶媒と比較して、２つ以上有する溶媒の方が溶解度が高いと考えられる。
さらに、構造的な安定化もアズルミン酸の高い溶解度に寄与していると考えられる。すなわち、例えば、溶媒としてエチレンジアミンを用いた場合、その２つのアミノ基がアズルミン酸の特定位置（シアノ基が想定される）に配位した構造が想定される。このような構造になると、エチレンジアミンとアズルミン酸の末端とで６員環（又は５員環）を形成すると考えられる。安定な６員環（又は５員環）を形成することは、アズルミン酸の溶媒への良好な溶解に寄与すると考えられる。
ただし、要因はこれらに限定されない。
【００３１】
アズルミン酸を混合液の状態（溶液状態）にすると、粉末状態に比べて実用的な観点から有利となる。例えば、アズルミン酸を容易に製膜化することができたり、アズルミン酸を他の有機化合物や高分子と混合して反応を促進させることが可能になったりする。また、基礎的な観点から、アズルミン酸を混合液の状態（溶液状態）にすると、構造解析を進めやすくなり、その構造解析が進めば、アズルミン酸の実用的な用途の研究においても広がりをみせることが可能になる。
【００３２】
アズルミン酸混合液のより具体的な製造方法について以下、説明する。
【００３３】
アズルミン酸とアミノ基を有する溶媒とは、それらが互いに均一に分散するよう混合するのが好ましい。例えば、アミノ基を有する溶媒と混合する前にアズルミン酸をボールミル等で粉砕することが好ましい。
【００３４】
アズルミン酸とアミノ基を有する溶媒とを混合する際、アズルミン酸とアミノ基を有する溶媒とを容器中で混合してもよいし、ソックスレーの抽出法を用いてもよい。容器中で混合する場合、振とうしたり攪拌したり超音波をかけたりしてもよく、加熱をしてもよい。
それらを混合する際の温度は特に限定されないが、溶媒の融点以上かつ溶媒の沸点若しくは分解温度以下が好ましい。
また、混合時間としては、例えば１分間〜１００時間を例示できる。
【００３５】
アズルミン酸とアミノ基を有する溶媒との混合比率は、特に限定されない。例えば、アミノ基を有する溶媒の混合比率が、アズルミン酸に対して質量比で０．１〜１００万倍であってもよい。その混合比率は、溶媒への溶解性、希釈したい比率、混合方法に応じて決めればよい。例えば、アズルミン酸混合液から製膜する際により薄膜化したい場合は、アミノ基を有する溶媒の混合比率を高めればよい。
【００３６】
本実施形態のアズルミン酸混合液は、アズルミン酸とアミノ基を有する溶媒とを含有するものであり、アズルミン酸がアミノ基を有する溶媒に完全に溶解していてもよいし、その溶媒に対して部分的に溶解していてもよい。アズルミン酸とアミノ基を有する溶媒とを混合する際にソックスレーの抽出法を用いれば、アズルミン酸を上記溶媒に完全に溶解したアズルミン酸混合液を得やすくなる。また、それらを容器中で混合すると、アズルミン酸を上記溶媒に完全に溶解させたアズルミン酸混合液、一部溶解させて未溶解のものも混在した懸濁状態にあるアズルミン酸混合液のいずれをも得ることができる。また、懸濁状態にあるアズルミン酸混合液をろ過、遠心分離等により固液分離することで、アズルミン酸が完全に上記溶媒に溶解したアズルミン酸混合液を得ることもできる。これらのアズルミン酸混合液の態様は、その用途に応じて使い分ければよい。
【実施例】
【００３７】
以下、実施例等を挙げて本発明をさらに詳細に説明するが、これらは例示的なものであり、本発明はこれらに限定されるものではない。したがって、当業者は以下に示す実施例に様々な変更を加えて本発明を実施することができ、かかる変更は本願の特許請求の範囲に包含される。
【００３８】
＜製造例＞
（アズルミン酸の製造）
水３５０ｇに青酸１５０ｇを溶解させた水溶液を容器中で調製し、この水溶液の攪拌を行いながら、２５％アンモニア水溶液１２０ｇを１０分かけてその水溶液に添加し、得られた混合水溶液を３５℃に加熱した。すると、青酸の重合が始まり黒褐色の重合物が析出し始め、温度は徐々に上昇し４５℃となった。重合が始まって２時間後から３０質量％青酸水溶液を２００ｇ／ｈの速度で添加し始め、さらに４時間かけて添加した。青酸水溶液の添加中は反応温度を５０℃に保つように容器を冷却してコントロールした。青酸水溶液の添加終了後、冷却を停止したところ温度は９０℃まで上昇し、この温度で約１時間留まった後、温度は徐々に降下した。その後、そのままの状態で１００時間反応を行った。得られた黒色沈殿物をろ過によって分離した。このときの沈殿物の収率は用いた青酸の全量に対して９７％であった。分離後の沈殿物を水洗した後、乾燥器にて１２０℃で５時間乾燥させてアズルミン酸を得た。
【００３９】
＜アズルミン酸の分析＞
（ＣＨＮ分析）
ジェイサイエンスラボ社製の元素分析装置（商品名「ＭＩＣＲＯ  ＣＯＲＤＥＲ  ＪＭ１０」）を用い、２５００μｇのアズルミン酸試料を試料台に充填してＣＨＮ分析を行った。試料炉の温度を９５０℃、燃焼炉（酸化銅触媒）の温度を８５０℃、還元炉（銀粒＋酸化銅のゾーン、還元銅のゾーンと酸化銅のゾーンとからなる）の温度を５５０℃に設定した。また、酸素流量を１５ｍＬ／分、Ｈｅ流量を１５０ｍＬ／分に設定した。検出器としてＴＣＤを用いた。アンチピリン（Ａｎｔｉｐｙｒｉｎｅ）を用いてマニュアルに記載の方法でキャリブレーションを行った。
その結果、上記製造例にて得られたアズルミン酸の組成は、炭素元素４０．０重量％、窒素元素２９．８重量％、水素元素４．１重量％であった。ここで乾燥した条件では吸着水が残存するため、差分は主に吸着水中の酸素元素と水素元素とに由来するものと考えられる。
【００４０】
（レーザーラマンスペクトルの測定）
アズルミン酸のラマンスペクトルを、アズルミン酸試料をメノウ乳鉢で粉砕し、粉末用セルに充填して下記の条件で測定した。
装置：Ｒｅｎｉｎｓｈａｗ社製商品名「Ｓｙｓｔｅｍ―３０００」、光源：Ａｒレーザー（波長５４０ｎｍ、２ｍＷ）、ビームサイズ：５μｍ、操作範囲：１０００〜２０００ｃｍ-1、積算時間：５分。
その結果、上記製造例にて得られたアズルミン酸は、１０００〜２０００ｃｍ-1の間で、１５４３ｃｍ-1、１３７５ｃｍ-1に強いピークを有していた。
【００４１】
（Ｘ線回折の測定）
アズルミン酸のＸ線回折パターンは、アズルミン酸試料をメノウ乳鉢で粉砕後、粉末用セルに充填して下記の条件で測定した。
装置：リガク社製商品名「Ｒｉｎｔ２５００」、Ｘ線源：Ｃｕ管球（Ｃｕ−Ｋα線）、管電圧：４０ｋＶ、管電流：２００ｍＡ、分光結晶：あり、散乱スリット：１°、発散スリット：１°、受光スリット：０．１５ｍｍ、スキャン速度：２°／分、サンプリング幅：０．０２°、スキャン法：２θ／θ法。
また、Ｘ線回折角（２θ）の補正には、シリコン粉末について得られたＸ線回折角データを用いた。
その結果、上記製造例にて得られたアズルミン酸は、５〜５０°の間で、２７．０°に最も強いピーク、１２．３°付近にもブロードなピークを有していた。
【００４２】
＜クロロホルム処理＞
アズルミン酸１０ｇを、クロロホルム３００ｇを用いたソックスレーの抽出法により５時間洗浄した。なお、この洗浄は、アズルミン酸中に含まれる低分子量体やリニアな構造体など比較的溶媒に可溶な成分を抽出除去し、残存した難溶なアズルミン酸の溶解性を評価することによって、本発明の効果を明確にするための処理である。
なお、この洗浄後のクロロホルムは透明無色であり、ほとんどのアズルミン酸が残渣として回収された。
【００４３】
［実施例１］
上記クロロホルム処理を経て得られたアズルミン酸０．１ｇに対し、エチレンジアミンを１００ｇ添加し、５０℃で１時間加熱しながら攪拌してアズルミン酸混合液を得た。液（溶媒）は黒色に着色した。次に、遠心分離でアズルミン酸混合液の固液分離を行った。得られた上澄み液から、エバポレータを用いて溶媒（エチレンジアミン）を蒸発除去し、析出した固体分を回収した。この固体分は、仕込んだアズルミン酸に対して１５％に相当する量であった。
【００４４】
［実施例２］
上記クロロホルム処理を経て得られたアズルミン酸０．１ｇに対し、シクロヘキシルアミンを１００ｇ添加し、５０℃で１時間加熱しながら攪拌してアズルミン酸混合液を得た。液（溶媒）は黒色に着色した。次に、遠心分離でアズルミン酸混合液の固液分離を行った。得られた上澄み液から、エバポレータを用いて溶媒（シクロヘキシルアミン）を蒸発除去し、析出した固体分を回収した。この固体分は、仕込んだアズルミン酸に対して３％に相当する量であった。
【００４５】
［実施例３］
上記クロロホルム処理を経て得られたアズルミン酸０．１ｇに対し、トリメチレンジアミンを１００ｇ添加し、５０℃で１時間加熱しながら攪拌してアズルミン酸混合液を得た。液（溶媒）は黒色に着色した。次に、遠心分離でアズルミン酸混合液の固液分離を行った。得られた上澄み液から、エバポレータを用いて溶媒（トリメチレンジアミン）を蒸発除去し、析出した固体分を回収した。この固体分は、仕込んだアズルミン酸に対して１０％に相当する量であった。
【００４６】
［実施例４］
上記クロロホルム処理を経て得られたアズルミン酸０．１ｇに対し、１，２，３−トリアミノプロパンを１００ｇ添加し、５０℃で１時間加熱しながら攪拌してアズルミン酸混合液を得た。液（溶媒）は黒色に着色した。次に、遠心分離でアズルミン酸混合液の固液分離を行った。得られた上澄み液から、エバポレータを用いて溶媒（１，２，３−トリアミノプロパン）を蒸発除去し、析出した固体分を回収した。この固体分は、仕込んだアズルミン酸に対して１４％に相当する量であった。
【００４７】
［比較例１］
上記クロロホルム処理を経て得られたアズルミン酸０．１ｇに対し、アセトニトリルを１００ｇ添加し、５０℃で１時間加熱しながら攪拌してアズルミン酸混合液を得た。溶媒は無色透明のままであった。次に、遠心分離でアズルミン酸混合液の固液分離を行った。得られた上澄み液から、エバポレータを用いて溶媒（アセトニトリル）を蒸発除去し、析出した固体分を回収した。この固体分は、仕込んだアズルミン酸に対して０．０１％以下に相当する量であった。
【００４８】
［比較例２］
上記クロロホルム処理を経て得られたアズルミン酸０．１ｇに対し、ジメチルホルムアミドを１００ｇ添加し、５０℃で１時間加熱しながら攪拌してアズルミン酸混合液を得た。溶媒は無色透明のままであった。次に、遠心分離でアズルミン酸混合液の固液分離を行った。得られた上澄み液から、エバポレータを用いて溶媒（ジメチルホルムアミド）を蒸発除去し、析出した固体分を回収した。この固体分は、仕込んだアズルミン酸に対して０．０１％以下に相当する量であった。
【００４９】
比較例からもわかるように、アズルミン酸は、代表的な極性溶媒やニトリル溶媒には不溶であるが、本発明によれば、その溶解性が著しく向上する。
【産業上の利用可能性】
【００５０】
本発明によれば、アズルミン酸を良好に溶解したアズルミン酸混合液が得られる。アズルミン酸を溶液状態にすることによって、粉末状態と比較すると、実用的な観点から製膜化を可能としたり、他の有機化合物や高分子と混合して反応を促進させることが可能になるという利点を有する。また、基礎的な観点から、アズルミン酸の構造解析が進みやすくなり、構造解析が進めば、アズルミン酸の実用的な用途についても、さらに研究に広がりをみせることが可能になる。したがって、本発明は、電子材料分野、及びこれを備える電子・電気材料、電子・電気デバイス、並びにそれらを備える各種機器、設備、システム等において、広く且つ有用に利用できる。